(57)【要約】【課題】照射光にきらめきを持たせた薄型の照明装置を提供する。【解決手段】照明装置１０は、光源１４と、入光面１２ｃ、１２ｄに光源１４が配置される導光板１２とを備えており、導光板１２の裏面１２ｂには、入射した光の光路を変更して出射面１２ａから光を出射させる複数の光路変更素子２０を備えている。複数の光路変更素子２０のそれぞれは、入射光を所定の方向に指向性を有するように反射させるとともに、複数の光路変更素子２０は、少なくともいずれか一方の種類の光路変更素子から反射される光が指向性を有する方向に、他方の種類の光路変更素子から反射される光が指向性を有するどの方向とも異なる方向が含まれる、複数種類の光路変更素子２０から構成される。【選択図】図１
2014096320.tif 000002
【特許請求の範囲】
【請求項１】
光源と、該光源が側端面に配置され、一方の主面を光の出射面とする導光板とを備え、前記導光板は、前記出射面及び該出射面とは反対側の主面のいずれか一方または両方に、入射した光の光路を変更して前記出射面から光を出射させる複数の光路変更素子を備えており、
前記複数の光路変更素子のそれぞれは、入射光を所定の方向に指向性を有するように反射または屈折させるとともに、前記複数の光路変更素子は、複数種類の光路変更素子を含んでおり、互いに異なる種類の光路変更素子は、少なくともいずれか一方の種類の光路変更素子から反射または屈折される光が指向性を有する方向に、他方の種類の光路変更素子から反射または屈折される光が指向性を有するどの方向とも異なる方向が含まれることを特徴とする照明装置。
【請求項２】
前記複数の光路変更素子のそれぞれは、１以上の光学面から構成される光学面群を備えており、互いに異なる種類の光路変更素子は、少なくともいずれか一方の種類の光路変更素子が備える光学面群に、他方の種類の光路変更素子が備える光学面群を構成するどの光学面とも、前記出射面に対する傾斜角度または前記光源が配置される側端面に基づいて設定される入光基準面に対する配置角度が異なる光学面が含まれることを特徴とする請求項１に記載の照明装置。
【請求項３】
前記導光板の出射面側には、前記出射面から出射した光を偏向させるレンズ群を備えたレンズシートが配置されており、前記レンズ群を前記導光板に対して相対的に移動させる駆動手段を備えることを特徴とする請求項１または２に記載の照明装置。
【請求項４】
前記導光板は、その中心に開口部を有する円環状に形成され、前記駆動手段は、前記開口部に配置されて、前記レンズシートを前記導光板の出射面に沿って回転させることを特徴とする請求項３に記載の照明装置。
【発明の詳細な説明】
【技術分野】
【０００１】
本発明は、照明装置に関し、特に、導光板の側面に光源を配置して面状発光を実現する照明装置に関する。
【背景技術】
【０００２】
導光板の側面に光源（典型的には、ＬＥＤ）を配置して面状発光を実現する照明装置（いわゆる、サイドライト型の面状照明装置）は、従来、液晶パネル用のバックライトとして実用化されているが、近年では、薄型化に有利であることから、シーリングライトやダウンライトなどの一般照明への適用も検討されている（例えば、特許文献１参照）。
特許文献１は、このような照明装置において、床面等の被照射面を広い領域にわたって均一に照明する技術を開示するものである。
【先行技術文献】
【特許文献】
【０００３】
【特許文献１】特開２０１２−１３４０３５号公報
【発明の概要】
【発明が解決しようとする課題】
【０００４】
しかしながら、一般照明の分野において、照明装置には、単に被照射面を均一に照明するのではなく、使用空間に応じて、その照明光に装飾性や意匠性が要求される場合がある。例えば、照明光には、見る方向によって強度分布が変化する、いわゆる「きらめき」を持たせることがしばしば要求される。さらに、一般照明の分野において、照明装置には、その照明光に自然な「ゆらぎ」を生じさせることにより、安らぎ感のある空間を演出することが要求される場合もある。
【０００５】
本発明は、上記課題に鑑みてなされたものであり、照射光にきらめきを持たせた薄型の照明装置を実現することを第１の目的とする。また、本発明は、照明光にゆらぎを生じさせることが可能な薄型の照明装置を実現することを第２の目的とする。
【課題を解決するための手段】
【０００６】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【０００７】
（１）光源と、該光源が側端面に配置され、一方の主面を光の出射面とする導光板とを備え、前記導光板は、前記出射面及び該出射面とは反対側の主面のいずれか一方または両方に、入射した光の光路を変更して前記出射面から光を出射させる複数の光路変更素子を備えており、前記複数の光路変更素子のそれぞれは、入射光を所定の方向に指向性を有するように反射または屈折させるとともに、前記複数の光路変更素子は、複数種類の光路変更素子を含んでおり、互いに異なる種類の光路変更素子は、少なくともいずれか一方の種類の光路変更素子から反射または屈折される光が指向性を有する方向に、他方の種類の光路変更素子から反射または屈折される光が指向性を有するどの方向とも異なる方向が含まれることを特徴とする照明装置（請求項１）。
【０００８】
本項に記載の照明装置によれば、導光板は、出射面及び該出射面とは反対側の主面のいずれか一方または両方に、入射した光の光路を変更して出射面から光を出射させる複数の光路変更素子を備えており、複数の光路変更素子のそれぞれは、入射光を所定の方向に指向性を有するように反射または屈折させる１以上の光学面から構成される光学面群を有するとともに、前記複数の光路変更素子は、複数種類の光路変更素子を含んでおり、互いに異なる種類の光路変更素子は、少なくともいずれか一方の種類の光路変更素子から反射または屈折される光が指向性を有する方向に、他方の種類の光路変更素子から反射または屈折される光が指向性を有するどの方向とも異なる方向が含まれることによって、光源と、該光源が側端面に配置され、一方の主面を光の出射面とする導光板とを備えた薄型の照明装置において、照明光として用いられる導光板からの出射光に、使用者が見る方向に応じて強度分布が変化する「きらめき」を持たせることが可能となり、ひいては、装飾性及び意匠性を備えた薄型の照明装置を実現することができる。
【０００９】
（２）（１）項に記載の照明装置において、前記複数の光路変更素子のそれぞれは、１以上の光学面から構成される光学面群を備えており、互いに異なる種類の光路変更素子は、少なくともいずれか一方の種類の光路変更素子が備える光学面群に、他方の種類の光路変更素子が備える光学面群を構成するどの光学面とも、前記出射面に対する傾斜角度または前記光源が配置される側端面に基づいて設定される入光基準面に対する配置角度が異なる光学面が含まれることを特徴とする照明装置（請求項２）。
【００１０】
本項に記載の照明装置によれば、同一の光路で入射した光をそれぞれ異なる方向に反射または屈折させる光学面を有する光路変更素子を、その光学面群の幾何学的構成に基づいて容易かつ安価に形成することが可能となる。
【００１１】
（３）（１）または（２）項に記載の照明装置において、前記導光板の出射面側には、前記出射面から出射した光を偏向させるレンズ群を備えたレンズシートが配置されており、前記レンズ群を前記導光板に対して相対的に移動させる駆動手段を備えることを特徴とする照明装置（請求項３）。
【００１２】
本項に記載の照明装置によれば、レンズシートが備えるレンズ群を導光板に対して相対的に移動させることによって、導光板の出射面側に配置されたレンズシートからの出射光の偏向方向が変動するため、使用者が見る方向が一定でも、レンズ群の導光板に対する相対的な移動にともなって、照明光の強度分布に時間的な変動が生じることになり、照明光の装飾性及び意匠性を更に向上させることが可能となる。加えて、このような照明光の強度分布の時間的な変動に不規則なゆらぎを持たせることによって、安らぎ感のある照明を実現することが可能となる。
【００１３】
（４）（３）項に記載の照明装置において、前記導光板は、その中心に開口部を有する円環状に形成され、前記駆動手段は、前記開口部に配置されて、前記レンズシートを前記導光板の出射面に沿って回転させることを特徴とする照明装置（請求項４）。
【００１４】
本項に記載の照明装置によれば、照明光に装飾性及び意匠性を持たせた薄型の照明装置において、照明光の装飾性及び意匠性が向上するとともに、レンズシートが備えるレンズ群を導光板に対して相対的に移動させる駆動手段を簡素化し、照明装置を小型化することが可能となる。さらに、照明光の強度分布の時間的な変動に不規則なゆらぎを持たせる場合、このように簡素かつ小型の駆動手段を用いてゆらぎの自然感を高め、ひいては照明光の安らぎ感を向上させることが可能となる。
【発明の効果】
【００１５】
本発明に係る照明装置は、上記のように構成したことにより、照射光にきらめきを持たせた薄型の照明装置を実現することが可能となる。さらに、本発明によれば、照明光にゆらぎを生じさせることが可能な薄型の照明装置を実現することが可能となる。
【図面の簡単な説明】
【００１６】
【図１】（ａ）は、本発明の第１の実施形態における照明装置の要部を示す側面図、（ｂ）は、（ａ）に示す照明装置の導光板及び光源の構成を示す斜視図である。
【図２】本発明の第１の実施形態における照明装置において、光路変更素子のうちの一例を導光板の裏面側から見た平面図である。
【図３】本発明の第１の実施形態における照明装置において、光路変更素子が備える傾斜面と反射光の偏向の関係を示す説明図であり、（ａ）は傾斜面の出射面に対する傾斜角度が比較的小さい場合、（ｂ）は、傾斜面の出射面に対する傾斜角度が比較的大きい場合を示す図である。
【図４】（ａ）及び（ｂ）は、本発明の第１の実施形態における照明装置において、それぞれ光路変更素子の別の例を示す斜視図である。
【図５】本発明の第１の実施形態における照明装置において、光路変更素子の別の例を示す断面図である。
【図６】本発明の第２の実施形態における照明装置の要部を示す側面図である。
【図７】（ａ）、（ｂ）、（ｃ）は、図６に示す照明装置において、レンズシートの光の偏向作用の変動を示す説明図である。
【図８】図６に示す照明装置において、レンズシートの別の例を示す断面図である。
【図９】本発明の第２の実施形態における照明装置の別の例の要部を示す断面図である。
【発明を実施するための形態】
【００１７】
以下、本発明の実施の形態を添付図面に基づいて説明する。添付の各図面は、いずれも説明のために特徴を強調して示す模式図であって、図示された各部分の相対的な寸法は、必ずしも実際の縮尺を反映するものではない。
【００１８】
本発明の第１の実施形態における照明装置１０は、図１（ａ）に示すように、導光板１２と、光源１４と、反射部材１６とを備えている。導光板１２は、メタクリル樹脂やポリカーボネート樹脂等の透明樹脂材料を成形してなる板状の導光体であり、一方の主面を出射面１２ａとするものである。導光板１２では、出射面１２ａと反対側の主面（以下、裏面ともいう）１２ｂとは略平行である。
【００１９】
導光板１２の出射面１２ａ及び裏面１２ｂは長方形または正方形状をなし、これらの主面に略直交する四方の側端面１２ｃ、１２ｄ、１２ｅ、１２ｆは、略平行に対向する１組みの側端面１２ｃ、１２ｄと、側端面１２ｃ、１２ｄと略直交し、互いに略平行に対向する１組みの側端面１２ｅ、１２ｆからなる。照明装置１０では、四方の側端面１２ｃ、１２ｄ、１２ｅ、１２ｆのうち、１組みの対向する２面１２ｃ、１２ｄを入光面として、各入光面１２ｃ、１２ｄに対向するように光源１４が配置されている。光源１４は、複数の発光ダイオード１５を、各入光面１２ｃ、１２ｄの長手方向に沿って配列してなるものである。また、導光板１２の裏面１２ｂ側には、導光板１２と光源１４を覆うように、反射部材１６が配置されている。
【００２０】
導光板１２は、光源１４から各入光面１２ｃ、１２ｄを通じて内部へと入射した光を、出射面１２ａと裏面１２ｂとの間で全反射を繰返しつつ導光板１２内を伝播させ、その過程で、伝播光を出射面１２ａから出射させるものである。そして、導光板１２の裏面１２ｂには、複数の光路変更素子２０が設けられており、裏面１２ｂに入射した光の少なくとも一部は、これらの光路変更素子２０での反射によって光路が変更され、照明光として出射面１２ａから出射される。
【００２１】
各光路変更素子２０は、図１（ｂ）に示すように、四角錐状の凸体として形成され、それぞれ三角形状の４つの傾斜面（本実施形態における光学面）から構成される傾斜面群（本実施形態における光学面群）を備えている。そして、複数の光路変更素子２０は、千鳥格子状に配列されて、導光板１２の裏面１２ｂ全体にわたって散在している。
照明装置１０において、各光路変更素子２０の各傾斜面は、出射面１２ａに対する傾斜角度、及び、１つの入光面（例えば、入光面１２ｃ）を入光基準面として、この入光基準面１２ｃに対する配置角度が、それぞれ所定の角度に設定されている。
【００２２】
ここで、本願発明において、光路変更素子２０の傾斜面の出射面１２ａに対する傾斜角度は、その傾斜面（または、傾斜面を含む仮想平面）と出射面１２ａ（または、出射面１２ａを含む仮想平面）とが交わって、光路変更素子２０の内部側（その傾斜面を含む仮想平面で空間を２つに分割したときに、光路変更素子２０を含む方の半空間内）に形成される角度をいうものとする。
【００２３】
尚、導光板１２では、出射面１２ａと裏面１２ｂとは略平行であるため、光路変更素子２０の傾斜面の出射面１２ａに対する傾斜角度は、裏面１２ｂに対する傾斜角度に略等しいものである。
【００２４】
また、本願発明における、光路変更素子２０の傾斜面の入光基準面１２ｃに対する配置角度について、図２を参照して説明すれば、次の通りである。図２には、導光板１２の裏面１２ｂ上に形成される光路変更素子２０の一例である光路変更素子２０ａを、導光板１２の裏面１２ｂ側から見た上面図である。この光路変更素子２０ａは、４つの傾斜面２１、２２、２３、２４で構成される傾斜面群を有する四角錐状に形成されている。
ここで、傾斜面２１の入光基準面１２ｃに対する配置角度φ１は、光路変更素子２０ａを、それが形成された導光板１２の主面（この場合、裏面１２ｂ）側から見たときに、出射面１２ａに平行な平面または仮想平面（この場合、裏面１２ｂは、このような平面の１つである。以下、この平面または仮想平面を配置角度基準面という）と傾斜面２１（または、傾斜面２１を含む仮想平面）とが交わって形成される線分ＡＢ上の両端点Ａ、Ｂから、それぞれ光源１４から入光基準面１２ｃに向かって右方に、配置角度基準面内で入光基準面１２ｃに平行に延びる配置角度基準線ＳＡ、ＳＢを想定し、これらの配置角度基準線ＳＡ、ＳＢのうち、それぞれ端点Ａ、Ｂから配置角度基準面に直交して延びる回転軸回りに反時計方向に回転させた場合に、光路変更素子２０の外側から線分ＡＢに一致する方の配置角度基準線（この場合、配置角度基準線ＳＡ）が、その回転により線分ＡＢに一致するときの回転角（０°以上、３６０°未満）をいうものとする。傾斜面２２、２３、２４についても、同様に、入光基準面１２ｃに対する配置角度φ２、φ３、φ４が定義される。
【００２５】
尚、線分ＡＢが、配置角度基準面内で入光面基準面１２ｃと平行な場合、言い換えれば、配置角度基準線ＳＡが線分ＡＢと元々一致している場合、上記の定義に従って、傾斜面２１の入光基準面１２ｃに対する傾斜角度は０°であり、線分ＣＤが、配置角度基準面内で入光面基準面１２ｃと平行な場合、上記の定義に従って、傾斜面２３の入光基準面１２ｃに対する傾斜角度は１８０°である。
【００２６】
ここで、当然のことながら、光路変更素子２０の傾斜面の、入光面１２ｃ、１２ｄのいずれか一方に対する配置角度を、上記の定義に従って決定すれば、導光板１２の形状により、その傾斜面の入光面１２ｃ、１２ｄの他方に対しての配置角度も決定する。したがって、上記の説明における入光基準面１２ｃは、照明装置１０が複数の入光面１２ｃ、１２ｄを有することから、入光面１２ｃ、１２ｄに関連して使用される「配置角度」という用語で示される角度を一意的に定義することのみを目的として、２つの入光面１２ｃ、１２ｄのうちの一方を任意に選択したものである。したがって、照明装置１０において、他方の入光面１２ｄを、傾斜面の配置角度を定義する際の入光基準面とするものであってもよい。また、光源１４から入光基準面１２ｃに向かって右方、光路変更素子２０を裏面１２ｂ側から見たときに反時計回り等の、各種方向に関する規定も、同様に、「配置角度」という用語で示される角度を一意的に定義することのみを目的として便宜的に用いた規定である。したがって、このような方向の規定は、上記目的のために一貫して用いられる限り、上記定義で述べた規定に限定されるものではない。
【００２７】
照明装置１０において、複数の光路変更素子２０は、次のような意味で、複数種類の光路変更素子２０からなるものである。
まず、照明装置１０において、２つの光路変更素子２０が同一種類であるとは、一方の光路変更素子２０が備える傾斜面群と、他方の光路変更素子２０が備える傾斜面群との間で、出射面１２ａに対する傾斜角度及び入光基準面１２ｃに対する配置角度の両方が同一の傾斜面同士を、一対一に対応させることができることをいう。
【００２８】
逆に言えば、傾斜面同士のこのような一対一対応が成立しない場合、すなわち、少なくともいずれか一方の光路変更素子２０が備える傾斜面群に、他方の光路変更素子２０が備える傾斜面群を構成するどの傾斜面とも、出射面１２ａに対する傾斜角度または入光基準面１２ｃに対する配置角度が異なる傾斜面が含まれている場合、それらの光路変更素子２０を、互いに異なる種類の光路変更素子２０という。
【００２９】
図１（ｂ）には、複数の光路変更素子２０の一例として、全て四角錐状に形成された光路変更素子２０を、導光板１２の裏面１２ｂ側に、入光基準面１２ｃに対して全て同一方向に配置した態様が示されている。具体的には、各光路変換素子２０は、その底面が全て同一形状のひし形（正方形の場合を含む）からなり、底面の２つの対角線のうちの一方が、裏面１２ｂ内で入光面１２ｃ、１２ｄに対して略直交し、他方が裏面１２ｂ内で側端面１２ｅ、１２ｆに略直交するように配置されている。したがって、この例では、複数の光路変更素子２０の、任意の２つの光路変更素子２０が備える傾斜面群同士に、傾斜面の入光基準面１２ｃに対する配置角度については、それが同一の傾斜面の一対一対応が成立する。
【００３０】
そして、図１（ｂ）上での詳細な表現は省略されているが、照明装置１０において、これらの複数の光路変更素子２０は、複数種類の光路変更素子２０からなるものであり、例えば、複数の光路変更素子２０は、底面から（すなわち裏面１２ｂから）四角錐の頂点までの高さが異なる複数の種類に分かれているものであってもよい。
【００３１】
この場合、同一の高さを有する光路変更素子２０同士は、一方の光路変更素子２０が備える傾斜面群と、他方の光路変更素子２０が備える傾斜面群との間で、出射面１２ａに対する傾斜角度及び入光基準面１２ｃに対する配置角度の両方が同一の傾斜面同士を、一対一に対応させることが可能であるため、同一種類の光路変更素子２０の一例となっており、また、高さの異なる光路変更素子２０同士は、それぞれが備える傾斜面群同士に、出射面１２ａに対する傾斜角度が同一の傾斜面は存在しないため、異なる種類の光路変更素子２０の一例となっている。
【００３２】
あるいは、図１（ｂ）に図示された例とは別の例として、複数の光路変更素子２０を全て同一形状の四角錐から構成するものであってもよく、この場合には、複数の光路変更素子２０の、任意の２つの光路変更素子２０が備える傾斜面群同士に、傾斜面の出射面１２ａに対する傾斜角度については、それが同一の傾斜面の間の一対一対応が成立する。
そして、この場合には、光路変更素子２０の入光基準面１２ｃに対する配置方向に、異なる複数の種類を設けることによって、複数種類の光路変更素子２０を形成することができる。この場合、異なる種類の光路変更素子２０同士には、それぞれが備える傾斜面群同士に、入光基準面１２ｃに対する配置角度が同一の傾斜面は存在しないものである。
【００３３】
照明装置１０において、各光路変更素子２０が備えるこのような傾斜面群の構成は、各光路変更素子２０からの反射光に指向性を持たせたい所定の方向に基づいて決定される。そのため、各光路変更素子２０が有する各傾斜面は、その傾斜面に入射し得る光の平均の光路に対して、その光路に関する反射光の光路が所定の方向を向くように、出射面１２ａに対する傾斜角度及び入光基準面１２ｃに対する配置角度が設定されるものである。
【００３４】
このような光路変更素子２０の構成及び作用を、図３を参照して詳述すれば、次の通りである。図３（ａ）、（ｂ）には、それぞれ光路変更素子２０の一例として、光路変更素子２０ｂ、２０ｃが示されており、加えて、図３（ａ）には、それぞれ光路変更素子２０ｂの傾斜面２５、２６に入射する入射光Ｐ１、Ｐ２と、それぞれの反射光Ｐ１ａ、Ｐ２ａの光路、図３（ｂ）には、それぞれ光路変更素子２０ｃの傾斜面２７、２８に入射する入射光Ｐ１、Ｐ２と、それぞれの反射光Ｐ１ｂ、Ｐ２ｂの光路が示されている。
【００３５】
ここで、図３（ａ）は、光路変更素子２０ｂを、導光板１２の出射面１２ａ及び入光面１２ｃ、１２ｄに直交する平面で切断した断面図であるとし、光路変更素子２０ｂの傾斜面２５、２６は、この平面に直交するように形成されているものとする。同様に、図３（ｂ）は、光路変更素子２０ｃを、導光板１２の出射面１２ａ及び入光面１２ｃ、１２ｄに直交する平面で切断した断面図であるとし、光路変更素子２０ｃの傾斜面２７、２８は、この平面に直交するように形成されているものとする。
【００３６】
したがって、図３（ａ）には、各傾斜面２５、２６の、出射面１２ａに対する傾斜角度（この例の場合、裏面１２ｂに対する傾斜角度に等しい）が、それぞれ符号α１、α２で示される図上の対応する角度としてそのまま図示され、図３（ｂ）には、各傾斜面２７、２８の出射面１２ａに対する傾斜角度（この例の場合、裏面１２ｂに対する傾斜角度に等しい）が、それぞれ符号β１、β２で示す図上の対応する角度としてそのまま図示されている。尚、図３（ａ）、（ｂ）において、入光基準面１２ｃは、紙面左方向にあるものとし、したがって、傾斜面２５、２７の入光基準面１２ｃに対する配置角度は０°、傾斜２６、２８の入光基準面１２ｃに対する配置角度は１８０°である。
【００３７】
また、光路変更素子２０ｂにおいて、傾斜面２５と傾斜面２６の出射面１２ａに対する傾斜角度（α１とα２）は等しく、光路変更素子２０ｃにおいて、傾斜面２７と傾斜面２８の出射面１２ａに対する傾斜角度（β１とβ２）は等しいものとする。これらの傾斜角度α１、α２、β１、β２は、図示されるように、傾斜面２７、２８の傾斜角度β１、β２の方が、傾斜面２５、２６の傾斜角度α１、α２よりも大きいものである。
【００３８】
そして、図示されるように、光路変更素子２０ｂが有する傾斜面２５、２６は、そのいずれもが、光路変更素子２０ｃが有する傾斜面２７、２８のいずれと比較しても、出射面１２ａに対する傾斜角度及び入光基準面１２ｃに対する配置角度のうちの少なくともいずれか一方が異なるものである。加えて、この例において、光路変更素子２０ｃが、図３（ｂ）に図示されていない傾斜面を有している場合、それらの傾斜面にも、出射面１２ａに対する傾斜角度及び入光基準面１２ｃに対する配置角度が、光路変更素子２０ｂの傾斜面２５と一致する傾斜面、及び、傾斜面２６と一致する傾斜面は含まれず、同様に、光路変更素子２０ｂが、図３（ａ）に図示されていない傾斜面を有している場合、それらの傾斜面にも、出射面１２ａに対する傾斜角度及び入光基準面１２ｃに対する配置角度が、光路変更素子２０ｃの傾斜面２７と一致する傾斜面、及び、傾斜面２８と一致する傾斜面は含まれないものとする。
【００３９】
したがって、光路変更素子２０ｂと光路変更素子２０ｃは、その両方が備える傾斜面群に、互いに他方の光路変更素子２０ｃ、２０ｂが備える傾斜面群を構成するどの傾斜面とも、出射面１２ａに対する傾斜角度または入光基準面１２ｃに対する配置角度が異なる傾斜面（光路変更素子２０ｂについては傾斜面２５、２６、光路変更素子２０ｃについては傾斜面２７、２８）が含まれていることになり、この意味で、互いに異なる種類の光路変更素子２０ｂ、２０ｃとなっている。
【００４０】
さらに、図３（ａ）、（ｂ）に同符号を付して示す入射光Ｐ１は、同一の光路で裏面１２ｂ側に向かってそれぞれ傾斜面２５、２７に入射し、同様に入射光Ｐ２は、同一の光路で裏面１２ｂ側に向かってそれぞれ傾斜面２６、２８に入射するものとし、図３（ａ）、（ｂ）に示すいずれの入射光Ｐ１、Ｐ２についても、その入射面（入射光Ｐ１、Ｐ２の光路と、それらの入射光Ｐ１、Ｐ２が入射する傾斜面２５、２６、２７、２８の法線を含む平面）は、紙面と平行であるものとする。したがって、図３（ａ）、（ｂ）には、入射光Ｐ１、Ｐ２の入射角及び反射光Ｐ１ａ、Ｐ２ａ、Ｐ１ｂ、Ｐ２ｂの反射角が、図上の対応する角度（入射角及び反射角の定義は、周知の定義と同様であるため、符号による参照は省略する）としてそのまま図示されている。
【００４１】
以上のような設定において、光路変更素子２０ｂ、２０ｃに同一の光路で入射する入射光Ｐ１、Ｐ２が、光路変更素子２０ｂの傾斜面２５、２６に入射する場合の入射角は、光路変更素子２０ｃの傾斜面２７、２８に入射する場合の入射角よりも大きいため、傾斜面２５、２６からの反射光Ｐ１ａ、Ｐ２ａの光路は、傾斜面２７、２８からの反射光Ｐ１ｂ、Ｐ２ｂの光路よりも、入射面内で導光板１２の出射面１２ａに直交する方向から広角に偏向され、ひいては、傾斜面２５、２６で反射された後、出射面１２ａから出射する出射光の出射方向も、傾斜面２７、２８で反射された後、出射面１２ａから出射する出射光の出射方向よりも、広角に偏向されることになる。
【００４２】
そして、光路変更素子２０ｂ、２０ｃにおいて、入射光Ｐ１の光路が、傾斜面２５、２７に入射し得る光の平均の光路であり、かつ、入射光Ｐ２の光路が、傾斜面２６、２８に入射し得る光の平均の光路である場合には、そのような平均の光路で光路変更素子２０ｂの傾斜面２５、２６に入射した光の反射光、ひいては、その後出射面１２ａから出射される出射光は、それぞれ、図３（ａ）に示す反射光Ｐ１ａ、Ｐ２ａの光路で示される方向に指向性を有することになり、上記平均の光路で光路変更素子２０ｃの傾斜面２７、２８に入射した光の反射光、ひいては、その後出射面１２ａから出射される出射光は、それぞれ、図３（ｂ）に示す反射光Ｐ１ｂ、Ｐ２ｂの光路で示され、光路変更素子２０ｂからの反射光とは異なる方向に、指向性を有することになる。
【００４３】
また、仮に、光路変更素子２０ｂが、図３（ａ）に図示されていない傾斜面を有しており、それらの傾斜面に対して、入射光Ｐ１、Ｐ２が、それぞれ傾斜面２５、２６に入射する場合と同一の光路で入射したとしても、それらの傾斜面は、上述したように、光路変更素子２０ｃの傾斜面２７、２８とは、出射面１２ａに対する傾斜角度または入光基準面１２ｃに対する配置角度が異なるものであるから、入射光Ｐ１、Ｐ２が傾斜面２７、２８に入射する場合とは、入射面または入射角が異なるため、その入射光Ｐ１、Ｐ２に対する反射光の方向も、反射光Ｐ１ｂ、Ｐ２ｂで示される方向とは異なるものとなり、ひいては、光路変更素子２０ｂの、図３（ａ）に図示されていない傾斜面に、入射光Ｐ１、Ｐ２と同一の光路を平均の光路として入射した光の反射光が指向性を有する方向も、傾斜面２７、２８に、入射光Ｐ１、Ｐ２と同一の光路を平均の光路として入射した光の反射光が指向性を有する方向とは異なるものである。
【００４４】
同様に、仮に、光路変更素子２０ｃが図３（ｂ）に図示されていない傾斜面を有しており、それらの傾斜面に対して、入射光Ｐ１、Ｐ２が、それぞれ傾斜面２７、２８に入射する場合と同一の光路で入射したとしても、それらの傾斜面は、上述したように、光路変更素子２０ｂの傾斜面２５、２６とは、出射面１２ａに対する傾斜角度または入光基準面１２ｃに対する配置角度が異なるものであるから、入射光Ｐ１、Ｐ２が傾斜面２５、２６に入射する場合とは、入射面または入射角が異なるため、その入射光Ｐ１、Ｐ２に対する反射光の方向も、反射光Ｐ１ａ、Ｐ２ａで示される方向とは異なるものとなり、ひいては、光路変更素子２０ｃが、図３（ｂ）に図示されていない傾斜面に、入射光Ｐ１、Ｐ２の光路と同一の光路を平均の光路として入射した光の反射光が指向性を有する方向も、傾斜面２５、２６に、入射光Ｐ１、Ｐ２の光路と同一の光路を平均の光路として入射した光の反射光が指向性を有する方向とは異なるものである。
【００４５】
このように、光路変更素子２０ｂ、２０ｃは、上述したような傾斜面群を備えることにより、その両方の光路変更素子２０ｂ、２０ｃから反射される光が指向性を有する方向に、互いに他方の光路変更素子２０ｃ、２０ｂから反射される光が指向性を有するどの方向とも異なる方向（光路変更素子２０ｂについては傾斜面２５、２６からの反射光が指向性を有する方向、光路変更素子２０ｃについては傾斜面２７、２８からの反射光が指向性を有する方向）が含まれる、互いに異なる種類の光路変更素子２０ｂ、２０ｃを実現するものである。
【００４６】
尚、図３（ａ）、（ｂ）に示す例では、簡単のため、導光板１２の出射面１２ａ及び傾斜面２５、２６、２７、２８に直交する平面と、入射光Ｐ１、Ｐ２の入射面とが平行な場合を用いて、光路変更素子２０ｂ、２０ｃの光路変更作用について説明したが、照明装置１０において、光路変更素子２０は、その傾斜面群に含まれる各傾斜面の出射面１２ａに対する傾斜角度及び入光基準面１２ｃに対する配置角度を適切に設定することにより、光路変更素子２０に入射する入射光の任意の１つの光路（例えば、想定される平均の光路）に対して、その光路と傾斜面群に含まれる各傾斜面とが入射光を所望の方向に反射させるために必要な入射面及び入射角を形成するように、傾斜面群を構成することができる。
【００４７】
このように、照明装置１０では、導光板１２の裏面１２ｂの全体にわたって散在する複数の光路変更素子２０で反射された後、出射面１２ａから出射されて照明光となる光が、それぞれ所定の方向に指向性を有するものであるため、使用者が一定の視線から照明装置１０を見たときに、照明光が指向性を有する方向に使用者の視線方向と一致する方向が含まれる特定の発光箇所が顕著に明るく見えるといった、照明光の強度分布が生じることになり、照明光にきらめきを持たせた装飾性及び意匠性に優れた照明装置１０を実現することができる。
【００４８】
その際、照明装置１０では、複数の光路変更素子２０に、上述したような複数種類の光路変更素子２０が含まれているため、使用者の視線方向の変化にともなって、顕著に明るく見える箇所も変化することになり、照明光のきらめきを一層向上させることができる。
【００４９】
尚、図１〜図３を参照して上述した例では、いずれも、異なる種類の光路変更素子２０同士には、その両方が備える傾斜面群に、互いに他方の光路変更素子２０が備える傾斜面群を構成するどの傾斜面とも、出射面１２ａに対する傾斜角度または入光基準面１２ｃに対する配置角度が異なる傾斜面が含まれており、これによって、異なる種類の光路変更からの反射光が指向性を有する方向には、互いに他方の光路変更素子２０からの反射光が指向性を有するどの方向とも異なる方向が含まれるものとした。
但し、本発明に係る照明装置において、互いに異なる種類の光路変更素子２０は、少なくともいずれか一方の種類の光路変更素子２０からの反射光が指向性を有する方向に、他方の種類の光路変更素子２０からの反射光が指向性を有するどの方向とも異なる方向が含まれるものであればよく、これによって、上述した作用効果を奏するものである。
【００５０】
例えば、互いに異なる種類の光路変更素子２０は、一方の種類の光路変更素子２０が備える傾斜面群が、他方の種類の光路変更素子２０が備える傾斜面群よりも多数の傾斜面で構成されており、一方の種類の光路変更素子２０が備える傾斜面群には、他方の種類の光路変更素子が備える傾斜面群を構成する傾斜面と、出射面１２ａに対する傾斜角度及び入光基準面１２ｃに対する配置角度が一致する傾斜面が全て含まれるとともに、それに加えて、他方の種類の光路変更素子が備える傾斜面群を構成するどの傾斜面とも、出射面１２ａに対する傾斜角度または入光基準面１２ｃに対する配置角度が異なる傾斜面が含まれるものであってもよい。
【００５１】
ここで、照明装置１０において、光路変更素子２０の傾斜面群構成を設定する際に考慮される平均の光路は、好ましくは、各光路変更素子２０の配置位置を含む所定の小領域（例えば、隣接する光路変更素子２０との間の領域）における局所的な平均であり、このような平均の光路は、その領域の導光板１２上の位置、特に、入光面１２ｃ、１２ｄからの距離によって異なるものとなる。
照明装置１０において、各光路変更素子２０が配置される導光板１２上の位置に応じた平均の光路を考慮して、各光路変換素子２０の傾斜面群構成を設定することによって、この平均の光路に対して特定の反射方向を有するように設計された傾斜面により、実際に入射する入射光を、その特定の方向により高い指向性をもって反射させることが可能となる。
【００５２】
一方、照明装置１０において、各光路変更素子２０が配置される導光板１２上の位置に応じた平均の光路を考慮して、各光路変換素子２０の傾斜面群構成を設定することには、光路変更素子２０の設計が複雑化するという側面があり、このような複雑性は、照明装置１０の光源１４が、複数の発光ダイオード１５を配列してなる構成を有していることによって増大する。これは、発光ダイオード１５は、通常、その出射光が末広がり状に出射されるという特性を有しており、さらに、光源１４が複数の発光ダイオード１５を配列してなる構成を有しているため、各発光ダイオード１５からは、末広がり状に出射された出射光が、様々な入射角でもって入光面１２ｃ、１２ｄに入射することに加えて、導光板１２内を伝播する光の光路が、複数の発光ダイオード１５から導光板１２に入射した光の光路が合成されたものとなる結果、局所的な平均の光路の導光板１２上の位置に応じた変化が複雑化するためである。
【００５３】
これに対処するため、照明装置１０は、光源１４からの出射光の、出射面１２ａに平行な面に投影した光路を、平行光化する光路変換手段を、光源１４と導光板１２の入光面１２ｃ、１２ｄとの間に備えるものであってもよい。このような光路変換手段としては、例えば、複数の単位レンズ面を配列することにより円筒レンズの凸レンズ面を構成したリニアフレネルレンズを用いることができる。
【００５４】
例えば、凸レンズ面の曲率方向と入光面１２ｃ、１２ｄの長手方向（入光面１２ｃ、１２ｄ内で出射面１２ａに平行な方向）とが一致するように配置されたリニアフレネルレンズを、複数の発光ダイオード１５毎に設けるとともに、照明装置１０及びリニアフレネルレンズを、各発光ダイオード１５の配置位置と、対応する各凸レンズ面の焦点位置とが略一致するように設計するものとしてもよい。
【００５５】
これによって、光源１４から出射した末広がり状の光は、リニアフレネルレンズにより、出射面１２ａに平行な面に投影した光路が平行光化され、入光面１２ｃ、１２ｄに対して上面視して略直交する方向から、入光面１２ｄ、１２ｄに入射することになる。勿論、リニアフレネルレンズは、各発光ダイオード１５にそれぞれ対応する複数の凸レンズ面を一体に備えるものであってもよい。
【００５６】
これによって、導光板１２内を伝播する光の光路、ひいては各光路変更素子２０の各傾斜面に入射し得る光の、出射面１２ａに平行な面に投影した平均の光路が、光路変更素子２０の導光板１２上の配置位置によらずに、比較的均一な光路（具体的には、入光面１２ｃ、１２ｄに、上面視して略直交する光路）となるため、各光路変更素子２０において、その反射光に所定の方向に対する指向性を持たせるための傾斜面群の設計を、単純化することができる。
【００５７】
但し、想定される平均の光路が、光路変更素子２０が配置される導光板１２上の位置に応じて変化することは、複数の異なる種類の光路変更素子２０の種類数の観点からは、次のように、有利な効果を奏するものである。
【００５８】
すなわち、想定される平均の光路が光路変更素子２０が配置される導光板１２上の位置に応じて変化する場合には、同一種類の光路変更素子２０であっても、それぞれ導光板１２の裏面１２ｂ上の異なる位置に配置したときに、それぞれの光路変更素子２０に入射する入射光の平均の光路が異なることにより、それぞれの反射光が指向性を有する方向に相違が生じるため、これらの光路変更素子２０は、異なる種類の光路変更素子２０と同等の機能を果たすことになる。これによって、一般に、複数種類の光路変更素子２０を、比較的少ない種類数で構成した場合でも、より多くの種類数で複数の光路変更素子２０を構成した場合と比較して、遜色のないきらめきを有する照明光が達成することができる。
【００５９】
そして、本発明は、複数の光路変更素子２０の形成方法によって限定されるものではないが、好ましくは、複数の光路変更素子２０を導光板１２と一体成形することにより、容易かつ安価に形成することができるものである。その際、複数種類の光路変更素子２０に、形状の異なる光路変更素子２０が含まれる場合には、通常、導光板１２を成形する金型の作製時に、金型の光路変更素子２０部分を加工するためのバイトが光路変更素子２０の形状毎に必要となるため、光路変更素子２０の種類数が少ない構成は、金型作製に必要なバイト数を低減して、金型作製のコストを低減できる点で有利なものである。
【００６０】
勿論、照明装置１０において、装飾性等の要求によっては、複数の光路変更素子２０の種類数を増大させてもよく、特に、複数の光路変更素子２０の全てを、それぞれ異なる種類の光路変更素子２０とするものであってもよい。
【００６１】
ここで、図１（ｂ）に示す例では、複数の光路変更素子２０は、全て四角錐状の形状を有するものとしたが、本発明に係る光路変更素子２０は、その傾斜面群によって構成される形状によって限定されるものではない。
例えば、本発明に係る光路変更素子２０は、図４（ａ）にその一例として示す光路変更素子３０のように、その傾斜面群が２つの傾斜面３１、３２によって構成される三角柱状の形状を有するものであってもよい。
【００６２】
また、本発明に係る光路変更素子２０は、図４（ｂ）にその一例として示す光路変更素子３５のように、その頂部に平坦面３７を有するものであってもよく、これによって、傾斜面３１、３２への入射光を取り入れる光学的開口部である底面３６が、同一の傾斜面３１、３２を有する三角柱状の光路変更素子３０の底面３３よりも広がることにより、傾斜面３１、３２への光の入射効率を高めることができる。これは、四角錐状の形状を含む任意の形状に形成される光路変更素子２０についても同様である。
【００６３】
さらに、本発明に係る光路変更素子２０は、図５にその一例として示す光路変更素子４１、４２、４３のように、サイズの小さい光路変更素子を複数個配列してなる形状を有するものであってもよい。
【００６４】
ここで、以上の説明では、光路変更素子２０は、導光板１２の裏面１２ｂ上に凸状に形成されるものとしたが、本発明に係る光路変更素子２０は、導光板１２の出射面１２ａに形成されるものであっても、あるいは、出射面１２ａと裏面１２ｂの両方に形成されるものであってもよい。また、本発明に係る光路変更素子２０は、これらのいずれの場合についても、凹状に形成されるものであってもよく、あるいは、複数の光路変更素子２０に、凸状に形成された光路変更素子２０と凹状に形成された光路変更素子２０の両方が含まれるものであってもよい。
【００６５】
尚、光路変更素子２０が凹状に形成される場合には、光路変更素子２０の内部とは、その傾斜面で囲われた凹状の空間をいうものとする。
また、導光板１２の裏面１２ｂ側に形成される光路変更素子２０については、上述したように、その傾斜面による反射により入射光の光路の変更が達成されるものであるのに対して、導光板１２の出射面１２ａ側に形成される光路変更素子２０については、導光板１２内を伝播する光が、光路変更素子２０の傾斜面を通じて出射する際の屈折により、入射光の光路の変更が達成されるものである。このように、屈折により入射光の光路が変更される場合でも、光路変更素子２０が備える傾斜面群の構成及びその作用効果は、図１〜図５を参照して説明した光路変更素子２０と同等のものであるため、その詳細な説明は省略する。
【００６６】
但し、本発明に係る照明装置は、導光板１２の裏面１２ｂ側に配置される光路変更素子２０が、屈折によりその機能を発揮する光学面を有する場合、及び、導光板１２の出射面１２ａ側に配置される光路変更素子２０が、反射によりその機能を発揮する光学面を有する場合を含むものである。
【００６７】
さらに、図１（ｂ）に示す例では、複数の光路変更素子２０は、千鳥格子状に配列されるものとしたが、本発明に係る照明装置は、複数の光路変更素子２０の配列態様によって限定されるものではなく、照明光の装飾性等の要求に応じて、任意の配列態様とすることができる。例えば、照明光のきらめきの自然感を向上させるため、複数の光路変更素子２０を、不規則に配列するものであってもよい。
【００６８】
また、図１に示す例では、照明装置１０が備える導光板１２の一対の対向する側端面１２ｃ、１２ｄを入光面として、これらの側端面１２ｃ、１２ｄに複数の発光ダイオード１５からなる光源１４が配置されるものとしたが、本発明に係る照明装置は、このような光源１４の配置構成によって限定されるものではない。例えば、導光板１２については、導光板１２の４つの側端面１２ｃ〜１２ｆの全てを入光面として、これらの側端面１２ｃ〜１２ｆに光源１４が配置されるものであってもよく、光源１４は、線状光源からなるものであってもよい。さらに、照明装置１０において、導光板１０の形状は、図１を参照して上述した形状に限定されるものではなく、照明装置の仕様等に応じて、任意の適切な形状とすることができる。
【００６９】
次に、図６〜図９を参照して、本発明の第２の実施形態における照明装置５０、７０について説明する。図６に示す照明装置５０は、導光板１２、光源１４、及び反射部材１６の構成については、上述した第１の実施形態における照明装置１０と同様のものであるため、重複する説明は省略する。そして、照明装置５０は、導光板１２の出射面１２ａ側に配置されたレンズシート５２と、このレンズシート５２を駆動する駆動手段５４とを備える点で、照明装置１０と相違するものである。
【００７０】
レンズシート５２は、一方の主面５２ａが平坦面として形成され、この主面５２ａと対向する主面５２ｂに、半球面状の屈折面５５ａを含む単位レンズ５５（図示の例の場合、凸レンズ）を複数個配列してなるレンズ群が形成されている（図７参照）。そして、図示の例において、レンズシート５２は、レンズ群が形成された方の主面５２ｂが、導光板１２の出射面１２ａと隣接して対向するように配置されている。以下、レンズシート５２の主面５２ａを出射面、主面５２ｂを裏面ともいう。
【００７１】
また、駆動手段５４は、直線状の往復運動を駆動可能なリニアアクチュエータから構成され、レンズシート５２は、駆動手段５４に取り付けられて、導光板１２に対して、導光板１２の出射面１２ａに平行な面内で一方向（図示の例では、紙面左右方向）に往復移動するように構成されている。
【００７２】
以上のような構成により、照明装置５０では、複数の光路変更素子２０（図示は省略すする）によって様々な方向に指向性を有するように設定されて、導光板１２の出射面１２ａから出射した出射光は、さらに、レンズシート５２が備えるレンズ群での屈折によりその光路が変更された後、照明光としてレンズシート５２の出射面５２ａから出射されることになる。
【００７３】
この際、レンズシート５２が駆動手段５４により駆動されて導光板１２に対して移動するのに伴い、レンズシート５２に形成されたレンズ群が、導光板１２に対して（したがって、導光板１２の出射面１２ａから出射される出射光の光路に対して）移動することになるため、各光路変更素子２０により設定された照明光が指向性を有する方向も、導光板１２の移動に伴って、時間的に変動することになる。
【００７４】
図７には、このようなレンズシート５２の作用が、１つの光路例について示されており、図７の（ａ）、（ｂ）、（ｃ）は、レンズシート５２の紙面左方への移動に伴う、レンズシートからの出射光の光路の変動を示した図である。図７に示すように、レンズシート５２の移動に伴って、導光板１２の出射面１２ａから出射される出射光の光路に対するレンズ群の位置が移動するため、任意の１つの光路と、その光路が入射する単位レンズ５５の屈折面５５ａとがなす入射角が変動し、その結果、レンズシート５２の出射面５２ａからの出射光が出射される方向も変動するものである。
【００７５】
尚、図７には、（ａ）、（ｂ）、（ｃ）の順にレンズシート５２が移動するのに伴い、入射光の屈折面５５ａに対する入射角が大きくなっていく例が示されている。そして、例えば図７に示す入射光の光路が、光路偏向素子２０ａによって反射または屈折されて、導光板１２の出射面１２ａから出射された光の平均の光路であった場合、その光がレンズシート５２の出射面５２ａから出射されたときに指向性を有する方向も、図７に示す光路に従って、変動するものである。
【００７６】
ここで、図７には、レンズシート５２が備えるレンズ群は、半球面状の屈折面５５ａを含む複数の単位レンズ５５から構成されるものとしたが、照明装置５０におけるレンズしシート５２は、少なくともその移動方向に沿って、屈折面５５ａの出射面５２ａに対する傾斜角度が空間的に変動するものであればよい。
例えば、レンズシート５２は、その一例として図８に示すレンズシート６０のように、各単位レンズ６２が、少なくともレンズシート６０の移動方向に沿って出射面６０ａに対して傾斜する、少なくとも１つの屈折面（図示の例では、それぞれ一対の屈折面６２ａ、６２ｂ）を有しており、複数の単位レンズ６２は、屈折面６２ａ、６２ｂの出射面６０ａに対する傾斜角度の構成が異なる、複数種類の単位レンズ６２を含むものであってもよい。
【００７７】
さらに、レンズシート５２は、裏面５２ｂの少なくとも一部を、その出射面５２ａからの高さが少なくともレンズシート５２の移動方向に沿って空間的に変動する、滑らかな曲面（凹凸面）とし、その曲面によって、屈折面５５ａが形成されているものであってもよい。この場合には、曲面の範囲内において、図７及び図８に示す単位レンズ５５、６２のような単位レンズは、必ずしも一意的に定義されないが、本発明において、レンズシート５２が備える「レンズ群」という用語は、このように、その屈折面５５ａの全体が滑らかな曲面（凹凸面）から構成される場合を含めていうものとする。
【００７８】
また、照明装置５０では、そのレンズシート５２が備えるレンズ群は、少なくともレンズシート５２の移動方向に沿って、屈折面５５ａの出射面５２ａに対する傾斜角度が、空間的に不規則に変動するように形成されるものであってもよい。また、駆動手段５４は、レンズシート５２の導光板１２に対する位置が、時間的に不規則に変動するように、レンズシート５２を駆動するものであってもよい。
【００７９】
以上のように、照明装置５０では、レンズシート５２が駆動手段５４により駆動されて導光板１２に対して移動するのに伴い、各光路変更素子２０により設定された照明光が指向性を有する方向が時間的に変動するため、使用者が見る方向が一定でも、レンズシート５２、したがってそのレンズ群の導光板１２に対する相対的な移動にともなって、照明光の強度分布に変動が生じることになり、照明光の装飾性及び意匠性を更に向上させることが可能となる。
【００８０】
加えて、照明装置５０では、レンズシート５２のレンズ群における屈折面５５ａの空間的な変動及び駆動手段５４によるレンズシート５２の駆動方法の時間的な変動のいずれか一方または両方に不規性を持たせることによって、レンズシート５２の移動に伴う照明光の強度分布の変動に不規則なゆらぎを持たせることが可能となり、これによって、照明光の変動に自然感を与え、ひいては、安らぎ感のある照明を実現することができる。
【００８１】
この際、レンズシート５２が備えるレンズ群の屈折面５５ａの空間的な変動に不規則なゆらぎを設ける場合には、レンズシート５２のレンズ群を、少なくともレンズシート５２の移動方向に沿って、不規則に波打つ滑らかな曲面から形成することが望ましく、これによって、照明光の強度分布の変動の自然感を向上させることができる。
【００８２】
ここで、図６〜図８を参照して上述した例では、レンズシート５２は、レンズ群が形成された主面５２ｂを導光板１２の出射面１２ａと隣接して対向するように配置されるものとしたが、照明装置５０において、レンズシート５２は、平坦面５２ａが導光板１２の出射面１２ａと隣接して対向するように配置されるものであってもよい（この場合、レンズ群が形成された主面５２ｂが、レンズシート５２の出射面となる）。あるいは、レンズシート５２は、その両方の主面５２ａ、５２ｂにレンズ群が形成されているものであってもよい。
【００８３】
また、図６〜図８を参照して上述した例では、レンズシート５２に駆動手段５４が取り付けられており、固定された導光板１２に対してレンズシート５２が移動するものとした。但し、照明装置５０において、レンズシート５２と導光板１２とは、レンズシート５２が備えるレンズ群が、導光板１２に対して相対的に移動するものであればよく、例えば、駆動手段５４には、導光板１２（及び、通常は、光源１４）を含む構造体が取り付けられ、この構造体側が、固定されたレンズシート５２に対して移動するように駆動されるものであってもよい。
【００８４】
この際、照明装置５０では、駆動手段５４の一例としてリニアアクチュエータを挙げたが、本発明は、駆動手段５４の具体的態様によって限定されるものではなく、例えば、ばね、空気圧、液圧等を用いた任意の機械的駆動手段の他、熱的駆動手段、静電的駆動手段、電磁的駆動手段等を含む任意の適切な駆動手段を用いることができる。
あるいは、レンズシート５２は、圧電効果等によりレンズシート５２が変形することによって、レンズシート５２が備えるレンズ群が、導光板１２に対して移動するものであってもよく、この場合には、駆動手段５４は、レンズシート５２を変形するための変形手段からなるものである。
【００８５】
さらに、照明装置５０は、レンズシート５２と同様のもう１つのレンズシート（図示は省略するが、符号５２’を付して参照する）と、このレンズシート５２’を、駆動手段５４とは独立に駆動可能な駆動手段（図示は省略するが、符号５４’を付して参照する）とを備えており、レンズシート５２の出射面５２ａ側にレンズシート５２’を配置するとともに、レンズシート５２とレンズシート５２’とを、それぞれ駆動手段５４、５４’によって、導光板１２に対して互いに異なる方向（例えば、互いに直交する方向）に移動するように駆動するものであってもよい。
【００８６】
これによって、レンズシート５２、５２’の移動に伴う照明光の強度分布の変動の複雑性が増大するため、照明光の装飾性及び意匠性を更に向上させることが可能となる。また、レンズシート５２のレンズ群構成、レンズシート５２’のレンズ群構成、レンズシート５２の駆動方法、及び、レンズシート５２’の駆動方法の少なくともいずれか１つに上述したような不規則性を持たせた場合、照明光の強度分布の変動に、さらに効果的に（例えば、レンズシート５２、５２’の互いに異なる２つの移動方向に沿った）不規則なゆらぎを持たせることが可能となり、照明光の強度分布の変動の自然感、ひいては、照明光の安らぎ感を増大させることができる。
【００８７】
次に、図９を参照して、本発明の第２の実施形態における照明装置の別の例について説明する。図９に示す照明装置７０では、導光板７２及び反射部材７６は、円環状に形成されている。導光板７２は、円環形状の外周側面７２ｃが入光面として用いられ、光源１４は、この入光面７２ｃに沿って配列された複数の発光ダイオードから構成される。ここで、導光板７２は、複数の光路変更素子２０を備える点では、第１の実施形態における導光板１２と同様のものであり、さらに、光路変更素子２０に関連して、照明装置７０に固有の特徴については後述する。
【００８８】
駆動手段８４は、回転運動を駆動可能なモータから構成され、同心（中心軸を符号ｃで示す）に配置された導光板７２及び反射部材７６の中心の開口部内に、その回転軸が中心軸ｃと一致するように配置されている。そして、駆動手段８４には、円環状または円板状に形成されたレンズシート８２が、導光板７２の出射面７２ａ側に導光板７２と同心に配置されるように、取り付けられている。
【００８９】
照明装置７０において、駆動手段８４は、レンズシート８２を、導光板７２の出射面７２ａに沿って（言い換えれば、出射面７２ａに平行な面内で）回転するように駆動するものであり、レンズシート８２の回転に伴って、レンズシート８２が備えるレンズ群が、導光板７２に対して（したがって、導光板７２の出射面７２ａからの出射光の光路に対して）移動するものである。
【００９０】
そして、レンズシート８２が備えるレンズ群は、その屈折面の出射面８２ａに対する傾斜角度が、少なくともレンズシート８２の周方向（すなわち、レンズシート８２の回転方向）に沿って空間的に変動するように設けられており、これによって、レンズシート８２の回転方向に対して、図７を参照して上述したような、レンズシート８２の出射面８２ａからの出射光が指向性を有する方向の変動が生じる。
【００９１】
以上のように構成された照明装置７０は、照明装置５０と同様に、レンズシート８２が駆動手段８４により駆動されて導光板７２に対して回転するのに伴い、各光路変更素子２０により設定された照明光が指向性を有する方向が時間的に変動するため、使用者が見る方向が一定でも、レンズシート８２が備えるレンズ群の導光板７２に対する相対的な移動にともなって、照明光の強度分布に変動が生じることになり、照明光の装飾性及び意匠性を更に向上させることが可能となる。
【００９２】
特に、照明装置７０は、駆動手段８４として通常のモータを用い、駆動手段８４は、レンズシート８２を一方向に一定速度で回転するように駆動するもとしてもよく、この場合でも上記の作用効果を奏するものであるため、駆動手段８４を簡素化し、ひいては、照明装置７０を小型化することが可能となる。
【００９３】
さらに、照明装置７０でも、レンズシート８２のレンズ群における屈折面の空間的な変動及び駆動手段８４によるレンズシート８２の駆動方法の時間的な変動のいずれか一方または両方に不規性を持たせることによって、レンズシート８２の回転に伴う照明光の強度分布の変動に不規則なゆらぎを持たせることが可能となり、これによって、照明光の強度分布の変動に自然感を与え、ひいては、安らぎ感のある照明を実現することができる。
【００９４】
この際、レンズシート８２が備えるレンズ群における屈折面の空間的な変動に不規則なゆらぎを設ける場合には、レンズシート８２のレンズ群を、少なくともレンズシート５２の周方向に沿って不規則に波打つ滑らかな曲面から形成することが望ましく、これによって、照明光の強度分布の変動の自然感を向上させることができる。
【００９５】
例えば、照明装置７０において、照明光の強度分布の変動に不規則なゆらぎを持たせる場合には、レンズシート８２が備えるレンズ群における屈折面の空間的な変動に不規則なゆらぎを設け、一方、駆動手段８４は、レンズシート８２を一方向に一定速度で回転するように駆動するものであってもよい。この構成は、駆動手動８４を簡素化し、照明装置７０を小型化できるといった、照明装置７０の有利性を維持しつつ、安らぎ感のある照明を実現することができる点で有利なものである。
【００９６】
さらに、照明装置７０は、照明光の強度分布の変動に自然感を与える上で、照明装置５０と比較して、次のような点で有利なものである。すなわち、照明装置５０では、照明光の強度分布の変動に不規則なゆらぎが生じる方向が、レンズシート５２の導光板１２に対する直線状の移動方向である１方向（または、２つのレンズシート５２、５２’を用いる場合には、２方向）に限定されるのに対して、照明装置７０では、照明光の強度分布の変動に不規則なゆらぎが回転方向に沿って生じ、言い換えれば、ゆらぎが生じる方向に特定の方向に沿った直線状の偏りがないため、照明光の強度分布の変動の自然感が向上し、ひいては、より安らぎ感のある照明を実現することができる。
【００９７】
ここで、照明装置７０において、導光板７２に設けられる光路変更素子２０を設計する際に、光路変更素子２０が有する各傾斜面の配置方向の基準となる入光基準面は、入光面である外周側面７２ｃの接平面のうちの１つとすることができる。あるいは、入光基準面は、照明設計等の要求に応じて、光路変更素子２０の配置位置に基づいて設定されるものであってもよい。例えば、外周側面７２ｃの任意の接平面について、その接平面に直交する半径上に配置される光路変更素子２０が存在する場合、それらの光路変更素子２０については、その接平面を入光基準面とするものであってもよい。
【００９８】
また、図９に示す例では、導光板７２の外周側面７２ｃを入光面としたが、照明装置７０は、導光板７２の内周側面７２ｄを入光面とし、光源１４を構成する複数の発光ダイオードは、導光板７２の内周側面７２ｄと駆動手段８４との間に、内周側面７２ｄに沿って配列されるものであってもよい。
【００９９】
この構成によれば、各発光ダイオードからの出射光が末広がり状に出射されることを、各光路変更素子２０の傾斜面群の設計を容易化する上で、有利に利用することが可能となる。すなわち、このように内周側面７２ｄを入光面とした場合、各発光ダイオードからの出射光が末広がり状に出射されることにより、光源１４から出射されて導光板７２に入射した光は、導光板７２内を、上面視してほぼ放射状に進行することとなるため、各光路変更素子２０の各傾斜面に入射し得る光の、出射面７２ａに平行な面に投影した平均の光路が、光路変更素子２０の導光板７２上の配置位置によらずに、比較的均一な光路（具体的には、各光路変更素子２０の配置位置において、その位置を通る半径方向の光路）となり、各光路変更素子２０において、その反射光に所定の方向に対する指向性を持たせるための傾斜面群の設計を、単純化することができる。
【符号の説明】
【０１００】
１０，５０，７０：照明装置、１４：光源、１２，７２：導光板、１２ａ，７２ａ：出射面、１２ｂ，７２ｂ：裏面、２０，２０ａ，２０ｂ，２０ｃ，３０，３５，４１，４２，４３：光路変更素子、２１，２２，２３，２４，２５，２６，２７，２８，３１，３２：傾斜面（光学面）、５２，６０，８２：レンズシート、５４，８４：駆動手段
【図１】
2014096320.tif 000003
【図２】
2014096320.tif 000004
【図３】
2014096320.tif 000005
【図４】
2014096320.tif 000006
【図５】
2014096320.tif 000007
【図６】
2014096320.tif 000008
【図７】
2014096320.tif 000009
【図８】
2014096320.tif 000010
【図９】
2014096320.tif 000011